(57)【要約】【課題】  モニタ本体の高さ及びティルティング角度を，大型モニタ本体が装着された場合にも，自在かつ容易に調節でき，また，モニタ本体のティルティング角度を維持したまま高さのみの調節が可能なモニタ装置を提供する。【解決手段】  モニタ本体１２０とベース部材１３０の間に設けられるリンク部材１０と；リンク部材の一端とベース部材に対して結合された第１ピンジピン３３を有しリンク部材をベース部材に対して回動可能に連結するベースヒンジ２０と；リンク部材の他端とモニタ本体に対して結合された第２ピンジピン８５を有しリンク部材とモニタ本体を相互回動可能に連結するモニタヒンジ７０と；各端部がベースヒンジとモニタヒンンジに対して結合されて第１ヒンジピンを軸とするリンク部材の回動を第２ヒンジピンを軸とするモニタ本体の回動に伝達する補助リンク部材１００，１１０と；を含むように構成した。【選択図】    図２
2005216323.tif 000002
【特許請求の範囲】
【請求項１】
モニタ本体と，前記モニタ本体を支持するベース部材と，を含むモニタ装置において，
前記モニタ本体と前記ベース部材との間に設けられるリンク部材と；
前記リンク部材を前記ベース部材の板面に対して回動可能に連結するように，前記リンク部材の一端と前記ベース部材に対して結合された第１ピンジピンを有するベースヒンジと；
前記リンク部材の他端と前記モニタ本体とを相互回動可能に連結するように，前記リンク部材の他端と前記モニタ本体に対して結合された第２ピンジピンを有するモニタヒンジと；
一端が前記ベースヒンジに対して結合されて他端が前記モニタヒンンジに対して結合され，前記第１ヒンジピンの軸心を中心として回動する前記リンク部材の回転運動を，前記第２ヒンジピンの軸心を中心として回動する前記モニタ本体の回転運動に伝達する補助リンク部材と；
を含むことを特徴とするモニタ装置。
【請求項２】
相互に所定の距離だけ離隔されて対をなして前記ベース部材に締結される第１ベースブラケット及び第２ベースブラケットをさらに含み，
前記ベースヒンジは，前記リンク部材の一端の両側を前記第１ベースブラケット及び前記第２ベースブラケットにそれぞれ回動可能に連結する第１ベースヒンジ部及び第２ベースヒンジ部を含むことを特徴とする請求項１に記載のモニタ装置。
【請求項３】
前記第１ベースヒンジ部及び前記第２ベースヒンジ部のそれぞれは，
前記第１ヒンジピンと回動可能に結合されるように前記リンク部材の一端の側面に形成された第１ピン受容部と；
一端が前記第１ベースブラケット及び前記第２ベースブラケットと結合され，他端に前記第１ヒンジピンと結合されるように形成された第２ピン受容部を含む第１リンク支持部と；
を含むことを特徴とする請求項２に記載のモニタ装置。
【請求項４】
前記第１ベースヒンジ部または前記第２ベースヒンジ部の少なくともいずれかに，前記ベース部材に対する前記リンク部材の回動角度を制限する回動角制限手段が設けられたことを特徴とする請求項３に記載のモニタ装置。
【請求項５】
前記回動角制限手段は，
前記リンク部材の一端の両側面のうち少なくともいずれかの側面に設けられて相互に離隔されて対向するように放射状に切取られた一対の第１ストッパーと，
前記リンク部材の回動方向に沿って前記一対の第１ストッパーにそれぞれ選択的に係止されるように前記第１リンク支持部の他端に設けられた一対の第１突出部と，を含むことを特徴とする請求項４に記載のモニタ装置。
【請求項６】
相互に所定の距離だけ離隔されて対をなして前記モニタ本体に締結される第１モニタブラケット及び第２モニタブラケットをさらに含み，
前記モニタヒンジは，前記リンク部材の他端の両側を前記第１モニタブラケット及び前記第２モニタブラケットにそれぞれ回動可能に連結する第１モニタヒンジ部及び第２モニタヒンジ部を含むことを特徴とする請求項１〜５のいずれか一項に記載のモニタ装置。
【請求項７】
前記第１モニタヒンジ部及び前記第２モニタヒンジ部のそれぞれは，
前記リンク部材の他端の側面に形成されたヒンジ挿入孔と；
前記第２ヒンジピンと結合されるように前記第１モニタブラケット及び前記第２モニタブラケットの前記リンク部材の他端と対向する一側に形成された第３ピン受容部と；
前記ヒンジ挿入孔に回動可能に挿入されるヒンジ挿入部と，前記第２ヒンジピンと回動可能に結合されるように前記第３ピン受容部と対向する位置に形成された第４ピン受容部とを有する第２リンク支持部と；を含むことを特徴とする請求項６に記載のモニタ装置。
【請求項８】
前記第１モニタヒンジ部または前記第２モニタヒンジ部の少なくともいずれかには，前記リンク部材に対する前記モニタ本体の回動角度を制限するモニタ角度制限手段が設けられたことを特徴とする請求項７に記載のモニタ装置。
【請求項９】
前記モニタ角度制限手段は，
前記第１モニタブラケットまたは前記第２モニタブラケットの少なくともいずれかに設けられて，相互に離隔されて対向するように放射状に切取られた一対の第２ストッパーと，
前記モニタ本体の回動方向に沿って前記一対の第２ストッパーにそれぞれ選択的に係止されるように前記第２リンク支持部の一端に設けられた一対の第２突出部と，を含むことを特徴とする請求項８に記載のモニタ装置。
【請求項１０】
前記補助リンク部材は，前記ベースヒンジの第１ヒンジピン及び前記モニタヒンジの第２ヒンジピンの回動軸と交差する方向に配置されて，前記リンク部材と共に回動可能であることを特徴とする請求項１に記載のモニタ装置。
【請求項１１】
前記補助リンク部材は，対をなして形成される第１補助リンク部材及び第２補助リンク部材を含み，
前記リンク部材の両側部にはそれぞれ前記リンク部材の一端から他端にかけて陥没形成されて前記第１補助リンク部材及び前記第２補助リンク部材を受容するリンク部材受容部が設けられたことを特徴とする請求項１０に記載のモニタ装置。
【請求項１２】
前記ベースヒンジ及び前記モニタヒンジのそれぞれには，前記第１補助リンク部材及び前記第２補助リンク部材を受容して回動可能に締結するよう，相互に所定の距離だけ離隔されて配置される第１補助リンク受容部及び第２補助リンク受容部がそれぞれ設けられたことを特徴とする請求項１１に記載のモニタ装置。
【請求項１３】
前記第１補助リンク受容部及び前記第２補助リンク受容部には，相互に所定の距離だけ離隔されるようにそれぞれピン挿入孔が形成され，
前記第１補助リンク部材及び第２補助リンク部材の両端には，前記ピン挿入孔に連通する貫通孔がそれぞれ形成され，
前記貫通孔と前記ピン挿入孔とは，リンク結合ピンによってそれぞれ結合されることを特徴とする請求項１２に記載のモニタ装置。
【請求項１４】
前記リンク部材が前記ベース部材の板面に対して下向き回動する方向と逆方向に弾性付勢するよう，一側が前記リンク部材に対して支持されて他側が前記第１ベースブラケットまたは前記第２ベースブラケットの少なくともいずれかに支持される第１捻りコイルスプリングを含むことを特徴とする請求項２に記載のモニタ装置。
【請求項１５】
相互に所定の距離だけ離隔されて対をなして前記モニタ本体に締結される第１モニタブラケット及び第２モニタブラケットをさらに含み，
前記モニタ本体が前記リンク部材の板面に対して下向き回動する方向と逆方向に弾性付勢するよう，一側が前記リンク部材に対して支持されて他側が前記第１モニタブラケットまたは前記第２モニタブラケットの少なくともいずれかに支持される第２捻りコイルスプリングを含むことを特徴とする請求項１４に記載のモニタ装置。
【発明の詳細な説明】
【技術分野】
【０００１】
本発明は，モニタ装置に係り，さらに詳しくは，ベース部材に対するモニタ本体の回動構造を改善したモニタ装置に関する。
【背景技術】
【０００２】
従来のモニタ装置は，図８に示すように，所定の水平面に安着されるベース部材２０１と，画像が表示されるモニタ本体２０２と，ベース部材２０１とモニタ本体２０２とを連結する連結部材２１０と，を有する。
【０００３】
連結部材２１０の下端部はベース部材２０１に結合された一対のベースブラケット２０４，２０６に回動可能に支持されており，連結部材２１０の上端部はモニタ本体２０２と一体に結合されている。したがって，矢印（Ａ）で示すように，連結部材２１０をベース部材２０１に対して上下方向へ回動させることはできるが，モニタ本体２０２を連結部材２１０に対して回動させることはできない。
【０００４】
図９の（ａ）及び（ｂ）に示すように，このような従来のモニタ装置は，モニタ本体２０２と連結部材２１０との間の角度が一定に定まっている。したがって，図９（ｂ）に示すように，ユーザーが随意に連結部材２１０をベース部材２０１に対して下向き回動させてモニタ本体２０２の高さを調節した場合，場合によってはモニタが見にくくなってしまうこともある。
【０００５】
一方，図８とは反対に，連結部材２１０の上端部をモニタ本体２０２に対して回動可能に連結し，下端部をベース部材２０１と一体に固定したモニタ装置（図示せず）も開発，使用されている。この場合，ユーザーはモニタのティルティング角度を多様に調節することはできるが，モニタ本体２０２の高さを調節することはできない，という問題が生じる。
【０００６】
また，最近はユーザーの要望によりモニタ装置が大型化しているが，大型化して重量も増したモニタ本体の高さ及びティルティング角度を調節するのは容易ではなくなってきている。
【０００７】
また，ベース部材に対するモニタ本体の回動角度に関する制限あるいは規定が国ごとに異なる場合，従来のモニタ装置に設けられた連結部材ではこの規定に適切に対応することができない，という問題もある。
【０００８】
この出願の発明に関連する先行技術文献情報としては，以下のものがある。
【特許文献１】韓国特許出願公開第２００１−００５６９６０号明細書
【特許文献２】韓国特許出願公開第２００１−００８３８６５号明細書
【特許文献３】韓国特許出願公開第２００２−０００５１３６号明細書
【特許文献４】韓国実用新案出願公開第２０００−００００７２２号明細書
【特許文献５】韓国実用新案登録第２０−０１８４２７５号明細書
【特許文献６】韓国実用新案登録第２０−０２２７９５３号明細書
【特許文献７】韓国実用新案登録第２０−０２５６８０９号明細書
【特許文献８】韓国実用新案登録第２０−０２５３５７６号明細書
【特許文献９】特開平８−３１９７５３号公報
【特許文献１０】特開平１０−２２８３３３号公報
【特許文献１１】特開平１１−２１４８５９号公報
【特許文献１２】米国特許第５，１０２，０８４号
【特許文献１３】米国特許第５，７７１，１５２号
【特許文献１４】米国特許第６，０１８，８４７号
【特許文献１５】欧州特許第  ０  ６３１  １７４  Ｂ１  号
【発明の開示】
【発明が解決しようとする課題】
【０００９】
本発明の目的は，前述した問題点を解決するため，モニタ本体の高さ及びティルティング角度を自在に調節することができ，特に，大型モニタ本体が装着された場合にも，その高さ及びティルティング角度を容易に調節できるだけでなく，予め定めていたモニタ本体のティルティング角度を維持したままモニタ本体の高さの調節ができる，モニタ装置を提供することである。
【課題を解決するための手段】
【００１０】
上記課題を解決するために，本発明のある観点によれば，モニタ本体と，上記モニタ本体を支持するベース部材と，を含むモニタ装置において，上記モニタ本体と上記ベース部材との間に設けられるリンク部材と；上記リンク部材を前記ベース部材の板面に対して回動可能に連結するように，上記リンク部材の一端と上記ベース部材に対して結合された第１ピンジピンを有するベースヒンジと；上記リンク部材の他端と上記モニタ本体とを相互回動可能に連結するように，上記リンク部材の他端と上記モニタ本体に対して結合された第２ピンジピンを有するモニタヒンジと；一端が前記ベースヒンジに対して結合されて他端が前記モニタヒンンジに対して結合され，前記第１ヒンジピンの軸心を中心として回動する前記リンク部材の回転運動を，前記第２ヒンジピンの軸心を中心として回動する前記モニタ本体の回転運動に伝達する補助リンク部材と；を含むことを特徴とするモニタ装置が提供される。
【００１１】
このような本発明にかかるモニタ装置によれば，上記リンク部材が上記ベース部材に対して上記第１ヒンジピンの軸心を中心として回動することによりモニタ本体の高さを自在に調節することができる。また，上記モニタ本体と上記リンク部材が上記第２ヒンジピンの軸心を中心として相互回動することによりモニタ本体のティルティング角度（傾斜角度）を自在に調節することができる。また，上記補助リンク部材により，上記第１ヒンジピンの軸心を中心として回動する上記リンク部材の回転運動を，上記第２ヒンジピンの軸心を中心として回動する上記モニタ本体の回転運動に伝達することができるので，所定の角度に設定された上記モニタ本体のティルティング角度を維持したまま，上記モニタ本体の高さを調節することができる。
【００１２】
このとき，上記モニタ装置は，相互に所定の距離だけ離隔されて対をなして上記ベース部材に締結される第１ベースブラケット及び第２ベースブラケットをさらに含み，上記ベースヒンジは，上記リンク部材の一端（下端部）の両側を上記第１ベースブラケット及び上記第２ベースブラケットにそれぞれ回動可能に連結する第１ベースヒンジ部及び第２ベースヒンジ部を含むように構成されるのがよい。すなわち，上記リンク部材は，対をなして設けられる第１ベースヒンジ部及び第２ベースヒンジ部によって上記ベース部材に対して上下方向に回動可能に連結される。
【００１３】
このとき，上記第１ベースヒンジ部及び上記第２ベースヒンジ部のそれぞれは，上記第１ヒンジピンと回動可能に結合されるように上記リンク部材の一端（下端部）の側面に形成された第１ピン受容部と；一端が上記第１ベースブラケット及び上記第２ベースブラケットと結合され，他端に上記第１ヒンジピンと結合されるように形成された第２ピン受容部を含む第１リンク支持部と；を含むように構成されるのがよい。すなわち，上記リンク部材の一端（下端部）の一方の側面は間に第１ヒンジピン及び第１リンク支持部を介して第１ベースブラケットと連結され，上記リンク部材の一端（下端部）の他方の側面は間に第１ヒンジピン及び第１リンク支持部を介して第２ベースブラケットと連結される。
【００１４】
ここで，上記第１ベースヒンジ部または上記第２ベースヒンジ部の少なくともいずれかに，上記ベース部材に対する上記リンク部材の回動角度を制限する回動角制限手段を設けることができる。かかる回動角制限手段を設けることにより，モニタ本体の高さを，例えば各国の規制等に準じた所定の範囲内で調整可能となるようにすることができる。
【００１５】
このとき，上記回動角制限手段は，上記リンク部材の一端（下端部）の両側面のうち少なくともいずれかの側面に設けられて相互に離隔されて対向するように放射状に切取られた一対の第１ストッパーと，上記リンク部材の回動方向に沿って上記一対の第１ストッパーにそれぞれ選択的に係止されるように上記第１リンク支持部の他端に設けられた一対の第１突出部と，を含むように構成されるのがよい。すなわち，上記リンク部材が上記ベース部材に対して回動する際に，上記第１突出部が上記第１ストッパーに係止されて上記リンク部材の回動が阻止されることにより，上記リンク部材の上記ベース部材に対する回動角度を制限することができる。
【００１６】
また，上記モニタ装置は，相互に所定の距離だけ離隔されて対をなして上記モニタ本体に締結される第１モニタブラケット及び第２モニタブラケットをさらに含み，上記モニタヒンジは，上記リンク部材の他端（上端部）の両側を上記第１モニタブラケット及び上記第２モニタブラケットにそれぞれ回動可能に連結する第１モニタヒンジ部及び第２モニタヒンジ部を含むように構成されるのがよい。すなわち，上記リンク部材は，対をなして設けられる第１モニタヒンジ部及び第２モニタヒンジ部によって上記モニタ本体に対して上下方向に相互に回動可能に連結される。
【００１７】
このとき，上記第１モニタヒンジ部及び上記第２モニタヒンジ部のそれぞれは，上記リンク部材の他端（上端部）の側面に形成されたヒンジ挿入孔と；上記第２ヒンジピンと結合されるように上記第１モニタブラケット及び上記第２モニタブラケットの上記リンク部材の他端と対向する一側に形成された第３ピン受容部と；上記ヒンジ挿入孔に回動可能に挿入されるヒンジ挿入部と，上記第２ヒンジピンと回動可能に結合されるように上記第３ピン受容部と対向する位置に形成された第４ピン受容部とを有する第２リンク支持部と；を含むように構成されるのがよい。すなわち，上記リンク部材の他端（上端部）の一方の側面は第２リンク支持部及び第２ヒンジピンを介して第１モニタブラケットと連結され，上記リンク部材の他端（上端部）の他方の側面は第２リンク支持部及び第２ヒンジピンを介して第２モニタブラケットと連結される。
【００１８】
また，上記第１モニタヒンジ部または上記第２モニタヒンジ部の少なくともいずれかには，上記リンク部材に対する上記モニタ本体の回動角度を制限するモニタ角度制限手段を設けることができる。かかる回動角制限手段を設けることにより，モニタ本体の傾斜角度を，例えば各国の規制等に準じた所定の範囲内で調整可能となるようにすることができる。
【００１９】
このとき，上記モニタ角度制限手段は，上記第１モニタブラケット及び上記第２モニタブラケットのうち少なくともいずれか一方に設けられて，相互に離隔されて対向するように放射状に切取られた一対の第２ストッパーと，上記モニタ本体の回動方向に沿って上記一対の第２ストッパーにそれぞれ選択的に係止されるように上記第２リンク支持部の一端に設けられた一対の第２突出部と，を含むように構成されるのがよい。すなわち，上記モニタ本体と上記リンク部材とが相互回動する際に，上記第２突出部が上記第２ストッパーに係止されて回動が阻止されることにより，上記モニタ本体と上記リンク部材とが相互に回動する際の回動角度を制限することができる。
【００２０】
また，上記補助リンク部材は，上記ベースヒンジの第１ヒンジピン及び上記モニタヒンジの第２ヒンジピンの回動軸と交差する方向に配置されて，上記リンク部材と共に回動可能であるように構成されるのがよい。また，上記補助リンク部材は，上記ベースヒンジの第１ヒンジピン及び上記モニタヒンジの第２ヒンジピンの回動軸と直交する方向に配置されてもよい。
【００２１】
このとき，上記補助リンク部材は，対をなして形成される第１補助リンク部材及び第２補助リンク部材を含み，上記リンク部材の両側部にはそれぞれ上記リンク部材の一端から他端にかけて陥没形成されて上記第１補助リンク部材及び上記第２補助リンク部材を受容するリンク部材受容部が設けられるように構成されるのがよい。かかる構成とすることにより，上記第１補助リンク部材及び上記第２補助リンク部材は上記リンク部材に収容されて配置された状態で上記ベース部材の板面に対する上記リンク部材の回動運動を上記モニタ本体の回動運動に伝達することができる。
【００２２】
このとき，上記ベースヒンジ及び上記モニタヒンジのそれぞれには，上記第１補助リンク部材及び上記第２補助リンク部材を受容して回動可能に締結するよう，相互に所定の距離だけ離隔されて配置される第１補助リンク受容部及び第２補助リンク受容部がそれぞれ設けられるように構成されるのがよい。すなわち，上記第１補助リンク部材は，上記ベースヒンジの第１補助リンク受容部及び上記モニタヒンジの第１補助リンク受容部に受容される。また，上記第２補助リンク部材は，上記ベースヒンジの第２補助リンク受容部及び上記モニタヒンジの第２補助リンク受容部に受容される。
【００２３】
また，上記第１補助リンク受容部及び上記第２補助リンク受容部には，相互に所定の距離だけ離隔されるようにそれぞれピン挿入孔が形成され，上記第１補助リンク部材及び第２補助リンク部材の両端には，上記ピン挿入孔に連通する貫通孔がそれぞれ形成され，上記貫通孔と上記ピン挿入孔とは，リンク結合ピンによってそれぞれ結合されるように構成されるのがよい。すなわち，上記第１補助リンク部材の一端と上記第２補助リンク部材の一端は，相互に所定の距離だけ離隔されて上記ベースヒンジにリンク結合ピンにより結合される。また，上記第１補助リンク部材の他端と上記第２補助リンク部材の他端は，相互に所定の距離だけ離隔されて上記モニタヒンジにリンク結合ピンにより結合される。
【００２４】
また，上記モニタ装置は，上記リンク部材が上記ベース部材の板面に対して下向き回動する方向と逆方向に弾性付勢するよう，一側が上記リンク部材に対して支持されて他側が上記第１ベースブラケットまたは上記第２ベースブラケットの少なくともいずれかに支持される第１捻りコイルスプリングを含むように構成されるのがよい。かかる構成とすることにより，上記リンク部材が上記ベース部材に対して回動する際に，上記リンク部材及び上記第１ベースブラケットまたは上記第２ベースブラケットの少なくともいずれかに対して支持された第１捻りコイルスプリングにより弾性力が提供されて，僅かな力でモニタ本体の高さを調節することができるようになる。
【００２５】
そして，上記モニタ装置は，相互に所定の距離だけ離隔されて対をなして上記モニタ本体に締結される第１モニタブラケット及び第２モニタブラケットをさらに含み，上記モニタ本体が上記リンク部材の板面に対して下向き回動する方向と逆方向に弾性付勢するよう，一側が上記リンク部材に対して支持されて他側が上記第１モニタブラケットまたは上記第２モニタブラケットの少なくともいずれかに支持される第２捻りコイルスプリングを含むように構成されるのがよい。かかる構成とすることにより，上記モニタ本体と上記リンク部材とが相互回動する際に，上記第リンク部材及び上記第１モニタブラケットまたは上記第２モニタブラケットの少なくともいずれかに対して支持された第２捻りコイルスプリングにより弾性力が提供されて，僅かな力でモニタ本体の傾斜角度を調節することができるようになる。
【発明の効果】
【００２６】
上記のように，本発明によるモニタ装置は，リンク部材のベース部材に対する回動運動をリンク部材のモニタ本体に対する回動運動に伝達する補助リンク部材を備える。このとき，上記補助リンク部材の一端は，リンク部材をベース部材に対して第１ヒンジピンの軸心を中心として回動可能に結合させるベースヒンジに対して結合される。また，上記補助リンク部材の他端は，リンク部材とモニタ本体とを第２ヒンジピンの軸心を中心として相互に回動可能に結合させるモニタヒンジに対して結合される。かかる補助リンク部材を設けたことにより，本発明によるモニタ装置は，モニタ本体のティルティング角度（傾斜角度）を維持したまま高さを調節することができる。
【発明を実施するための最良の形態】
【００２７】
以下，添付図面を参照しながら，本発明の好適な実施形態について詳細に説明する。なお，以下の説明および添付図面において，略同一の機能構成を有する構成要素については，同一の符号を付することにより重複説明を省略することにする。
【００２８】
本実施形態にかかるモニタ装置は，図１から図３に示すように，所定の設置面に安着されるベース部材１３０と，画像を表示する表示面１２０ａが形成されるモニタ本体１２０と，ベース部材１３０とモニタ本体１２０とを相互連結するリンク組立体１と，を含む。
【００２９】
ベース部材１３０の上側には，後述する第１ベースブラケット４及び第２ベースブラケット６とボルト締結されるベース支持部１３３が形成される。
【００３０】
リンク組立体１は，後述する第２ベースブラケット６及び第２モニタブラケット９が設けられる左側と，後述する第１ベースブラケット４及び第１モニタブラケット８が設けられる右側と，が左右対称をなしているので，以下，左右対称により重複する一部構成については，図面及び詳細な説明を省略する。
【００３１】
リンク組立体１は，モニタ本体１２０の背面とベース部材１３０のベース支持部１３３との間に設けられるリンク部材１０と，リンク部材１０の上側に配置される上部カバー２と，リンク部材１０の下側に配置される下部カバー３と，リンク部材１０の下端部１０ａとベース部材１３０とを回動可能に連結するベースヒンジ２０と，リンク部材１０の上端部１０ｂとモニタ本体１２０とを相互回動（Ｔｉｌｔｉｎｇ）可能に連結するモニタヒンジ７０と，を含む。
【００３２】
また，本実施形態にかかるモニタ装置は，ベース部材１３０に対するリンク部材１０の回動運動をモニタ本体１２０の回動運動に伝達する第１補助リンク部材１００及び第２補助リンク部材１１０と，リンク部材１０がベース部材１３０の板面に下向き回動するのに対して，逆方向に弾性付勢する第１捻りコイルスプリング１４０と，モニタ本体１２０がリンク部材１０の板面に下向き回動するのに対して，逆方向に弾性付勢する第２捻りコイルスプリング１５０と，をさらに含む。
【００３３】
リンク部材１０は，ベースヒンジ２０によりベース部材１３０に対して回動可能に連結されているが，回動は所定の角度範囲内で行われる。前記回動角度の範囲は，例えば，０゜から６５゜といった範囲に設定できるが，国ごとに異なる制限規定がある場合，それぞれの国の制限規定に適合するように設定することができる。
【００３４】
ベースヒンジ２０は，ベース部材１３０のベース支持部１３３に所定の間隔をおいて形成される第１ベースブラケット４及び第２ベースブラケット６と結合される。ベースヒンジ２０は，リンク部材１０の下端部１０ａの両側を一対の第１ベースブラケット４及び第２ベースブラケット６にそれぞれ回動可能に連結する第１ベースヒンジ部３０及び第２ベースヒンジ部４０を含む。
【００３５】
第１ベースブラケット４及び第２ベースブラケット６の相互に対向する内側面には，非円形の断面に陥没形成されて，後述する第１リンク支持部２１のボス部２４を受容するボス受容部５が形成される。
【００３６】
第１ベースヒンジ部３０及び第２ベースヒンジ部４０のそれぞれは，リンク部材１０の下端部１０ａの両側面に形成される第１ピン受容部３１と，一端が第１ベースブラケット４または第２ベースブラケット６に結合され，他端が第１ピン受容部３１に挿入される第１リンク支持部２１と，第１ヒンジピン３３と，を含む。
【００３７】
第１リンク支持部２１は，一端に第１ベースブラケット４または第２ベースブラケット６のボス受容部５に整合する非円形断面のボス部２４と，他端に円形断面に陥没される第２ピン受容部２２と，ボス部２４と第２ピン受容部２２との間に第１捻りコイルスプリング１４０を受容して支持する円形断面に形成される第１スプリング支持部２３と，を有する。
【００３８】
第１ヒンジピン３３は，その一端は第１ピン受容部３１に回動可能に挿入され，他端は第２ピン受容部２２に圧入される。
【００３９】
すなわち，第１ヒンジピン３３の一端が第１ピン受容部３１に回動可能に挿入され，他端が第１ベースブラケット４及び第２ベースブラケット６と結合される第１リンク支持部２１の第２ピン受容部２２に圧入されて回動が阻止されるように締結されることにより，リンク部材１０をベース部材１３０に対して回動させることができる。
【００４０】
第１捻りコイルスプリング１４０は，第１ベースヒンジ部３０及び第２ベースヒンジ部４０に設けられた第１リンク支持部２１の第１スプリング支持部２３にそれぞれ受容され，一方がリンク部材１０に支持され，他方が第１ベースブラケット４及び第２ベースブラケット６に支持される。また，一対の第１捻りコイルスプリング１４０は，リンク部材１０がベース部材１３０の板面に下向き回動する方向に対して逆方向に弾性付勢する弾性力を有する。また，第１捻りコイルスプリング１４０の弾性力は，リンク部材１０を加圧してベース部材１３０の板面に下向き回動させた状態で，加圧力を除去した時にリンク部材１０が元位置に復帰される弾性力に比べて小さい。したがって，図１の状態で，ユーザーは強い力を入なくても，一対の第１捻りコイルスプリング１４０の弾性力によりリンク部材１０をベース部材１３０の板面に対して上下方向にゆっくり回動させることができる。
【００４１】
第１ベースヒンジ部３０及び第２ベースヒンジ部４０には，ベース部材１３０に対するリンク部材１０の回動角度を制限する回動角制限手段５０が設けられる。回動角制限手段５０は，前述したように，ベース部材１３０に対してリンク部材１０が回動する制限角度の範囲に応じて設計される。
【００４２】
回動角制限手段５０は，一対の第１ピン受容部３１が形成されるリンク部材１０の下端部１０ａの両側面に，所定の離隔間隔をおいて相互に対向するように放射状に切取られた一対の第１ストッパー５１と，第１ヒンジピン３３と結合される第２ピン受容部２２の端部に，リンク部材１０の回動方向に沿って各第１ストッパー５１に選択的に係止される一対の第１突出部５２と，を含む。
【００４３】
これにより，ベース部材１３０の板面に対してリンク部材１０を下向き加圧する場合，一対の第１ヒンジピン３３に回動可能に結合されたリンク部材１０が下向き回動され，所定の回動角度範囲の限界点に至ると，一対の第１ストッパー５１の一方が第２ピン受容部２２の第１突出部５２に係止されて，それ以上下向き回動できなくなる（図７の（ａ）及び（ｂ）参照）。
【００４４】
逆に，ベース部材１３０に対してリンク部材１０を上向き加圧する場合，一対の第１ヒンジピン３３を軸として上向き回動するリンク部材１０は，第１ストッパー５１の他方が第１突出部５２に係止される限界点に至ると，上向き回動が阻止される。
【００４５】
このように，第２ピン受容部２２に形成される第１突出部５２と第１ストッパー５１とを含む回動角制限手段により，ベース部材１３０に対するリンク部材１０の回動角度範囲が一定の範囲となるように設計することができる。したがって，リンク部材１０の回動角度制限範囲が国ごとに異なる場合は，第１ストッパー５１が第１突出部５２に係止される角度が当該国の回動角度制限範囲と一致するよう，第１突出部５２及び第１ストッパー５１のサイズを適切に設計することにより対応することができる。
【００４６】
リンク部材１０の上端部１０ｂには，リンク部材１０に対してモニタ本体１２０を所定の角度範囲内で回動させるモニタヒンジ７０が設けられている。モニタヒンジ７０もベースヒンジ２０の如く，所定の角度範囲内で回動する。回動角度の範囲は，例えば，−５゜から３０゜といった範囲に設定できるが，国ごとに異なる制限規定がある場合，それぞれの国の制限規定に適合するように設定することができる。
【００４７】
モニタヒンジ７０は，モニタ本体１２０に所定の間隔をおいて締結される第１モニタブラケット８及び第２モニタブラケット９と結合する。また，モニタヒンジ７０は，リンク部材１０の上端部１０ｂの両側を一対の第１モニタブラケット８及び第２モニタブラケット９にそれぞれ回動可能に連結する第１モニタヒンジ部８０及び第２モニタヒンジ部９０を含む。
【００４８】
第１モニタヒンジ部８０及び第２モニタヒンジ部９０のそれぞれは，リンク部材１０の上端部１０ｂの両側面に形成される第１ヒンジ挿入孔８１と，第１モニタブラケット８及び第２モニタブラケット９の一端部に円形断面に陥没形成される第３ピン受容部８３と，一端が第１モニタブラケット８及び第２モニタブラケット９に結合され，他端がヒンジ挿入孔８１に挿入される第２リンク支持部７１と，第２ヒンジピン８５と，を含む。
【００４９】
第２リンク支持部７１は，ヒンジ挿入孔８１に回動可能に挿入されるヒンジ挿入部７２と，ヒンジ挿入部７２の一方に設けられて第２捻りコイルスプリング１５０を受容して支持する第２スプリング受容部７３と，第２スプリング受容部７３の一方に設けられて第３ピン受容部８３に対向するように円形断面に陥没形成される第４ピン容部７４と，を有する。
【００５０】
第２ヒンジピン８５は，その一端が第４ピン受容部７４に回動可能に挿入され，他端が第３ピン受容部８３に圧入される。
【００５１】
すなわち，第２ヒンジピン８５の一端が第２リンク支持部７１の第４ピン受容部７４に回動可能に挿入され，他端が第１モニタブラケット８及び第２モニタブラケット９の第３ピン受容部８３に圧入されて回動が阻止されるように締結されることにより，モニタ本体１２０をリンク部材１０に対して回動させることができる。
【００５２】
第２捻りコイルスプリング１５０は，一対の第２リンク支持部７１の第２スプリング受容部７３にそれぞれ設けられ，一方が第２リンク支持部７１に支持され，他方が第１モニタブラケット８及び第２モニタブラケット９に支持される。また，第２捻りコイルスプリング１５０は，モニタ本体１２０がリンク部材１０の板面に下向き回動するのに対して逆方向に弾性付勢する弾性力を有する。また，第２捻りコイルスプリング１５０の弾性力は，モニタ本体１２０を加圧してリンク部材１０の板面に下向き回動させた状態で，加圧力を除去した時にモニタ本体１２０が元位置に復帰される弾性力に比べて小さい。したがって，図１の状態で，ユーザーは強い力を入れなくても，一対の第２捻りコイルスプリング１５０の弾性力によりモニタ本体１２０をリンク部材１０の板面に対して上下方向にゆっくり回動させることができる。
【００５３】
前述した通り，第１モニタヒンジ部８０及び第２モニタヒンジ部９０のそれぞれにおいては，第２ヒンジピン８５の一端が第２リンク支持部７１の第４ピン受容部７４に回動可能に結合され，他端が第１モニタブラケット８及び第２モニタブラケット９の第３ピン受容部８３に圧入されて回動が阻止される。
【００５４】
このような第２ヒンジピン８５と第２リンク支持部７１の第４ピン受容部７４との結合は，モニタ本体を回動させる際に所定の摩擦力を有することになる。前記摩擦力は，モニタ本体１２０の自重により発生するトークから一対の第２捻りコイルスプリング１５０がモニタ本体１２０にかかる弾性力を除いた力より強くなければならない。これにより，モニタ本体１２０がリンク部材１０に対してその自重により下向き回動されず，ユーザーがモニタ本体１２０に所定の力を加圧することにより，モニタ本体１２０をリンク部材１０に対して回動させることができる。
【００５５】
第２リンク支持部７１は，第２ヒンジピン８５と第４ピン受容部７４との結合箇所が回動可能に結合されるほか，ヒンジ挿入部７２とリンク部材１０の上端部１０ｂの両側に設けられる一対のヒンジ挿入孔８１との結合箇所も回動可能に結合される。後者のヒンジ挿入部７２とヒンジ挿入孔８１との結合箇所における回動は，後述する補助リンク部材１００，１１０によって行われる。
【００５６】
第１モニタヒンジ部８０及び第２モニタヒンジ部９０のそれぞれには，リンク部材１０に対するモニタ本体１２０の回動（Ｔｉｌｔｉｎｇ）角度を制限するモニタ角度制限手段６０が設けられる。モニタ角度制限手段６０は，前述したように，リンク部材１０に対してモニタ本体１２０が回動される制限角度範囲に応じて設計される。
【００５７】
モニタ角度制限手段６０は，第３ピン受容部８３が形成される第１モニタブラケット８及び第２モニタブラケット９に，所定の離隔間隔をおいて相互に対向するように放射状に切取られた一対の第２ストッパー６１と，第４ピン受容部７４が形成される第２リンク支持部７１の一端部に設けられてモニタ本体１２０の回動方向に沿って各第２ストッパー６１に選択的に係止される一対の第２突出部６２と，を含む。
【００５８】
これにより，リンク部材１０の板面に対してモニタ本体１２０を下向き加圧する場合，一対の第２ヒンジピン８５に回動可能に結合されたモニタ本体１２０は下向き回動され，所定の回動角度範囲の限界点に至ると，一対の第２ストッパー６１の一方が第３ピン受容部８３の第２突出部６２に係止されて，それ以上下向きに回動できなくなる（図５の（ａ）及び（ｂ）参照）。
【００５９】
逆に，リンク部材１０に対してモニタ本体１２０を上向き加圧する場合，一対の第２ヒンジピン８５を軸として上向き回動するモニタ本体１２０は，第２ストッパー６１の他方が第２突出部６２に係止される限界点に至ると，上向き回動が阻止される。
【００６０】
このように，第３ピン受容部８３に形成される第２突出部６２と第２ストッパー６１とを含むモニタ角度制限手段６０により，リンク部材１０に対するモニタ本体１２０の回動角度範囲が一定の範囲となるように設計することができる。したがって，モニタ本体１２０の回動角度制限範囲が国ごとに異なる場合は，第２ストッパー６１が第２突出部６２に係止される角度が当該国の回動角度制限範囲と一致するよう，第２突出部６２及び第２ストッパー６１のサイズを適切に設計することにより対応することができる。
【００６１】
本実施形態にかかるモニタ装置には，ベース部材１３０の板面に対するリンク部材１０の回動運動をモニタ本体１２０の回動運動に伝達する補助リンク部材が設けられている。前記補助リンク部材は，ベース部材１３０の板面に対するリンク部材１０の回動に連動してモニタ本体１２０が所定の角度に回動（Ｔｉｌｔｉｎｇ）できるように構成される。また，補助リンク部材は，一対の第１補助リンク部材１００及び第２補助リンク部材１１０を含み，このような一対の補助リンク部材は，リンク部材１０の両縁部にそれぞれ“Ｕ”字形状に陥没形成されるリンク部材受容部１１にそれぞれ設けられる。
【００６２】
第１補助リンク部材１００及び第２補助リンク部材１１０は，曲がったバー形状からなり，第１リンク支持部２１及び第２リンク支持部７１に所定の離隔間隔をおいて結合される。第１リンク支持部２１及び第２リンク支持部７１のそれぞれには，所定の離隔間隔をおいて第１補助リンク部材１００及び第２補助リンク部材１１０を受容するための第１補助リンク受容部２５及び第２補助リンク受容部２６と，第１補助リンク受容部２５及び第２補助リンク受容部２６の一方と第１補助リンク部材１００及び第２補助リンク部材１１０とを締結するための複数のピン挿入孔２７と，が形成される。第１補助リンク部材１００及び第２補助リンク部材１１０の両端には，ピン挿入孔２７に連通する貫通孔１００ａ，１１０ａが形成される。
【００６３】
これにより，第１補助リンク部材１００及び第２補助リンク部材１１０に形成される貫通孔１００ａ，１１０ａと，第１リンク支持部２１及び第２リンク支持部７１に形成される第１補助リンク受容部２５及び第２補助リンク受容部２６のピン挿入孔２７と，に複数のリンク結合ピン１０２を連通させた状態で，第１補助リンク部材１００及び第２補助リンク部材１１０を回動可能に結合することにより，第１補助リンク部材１００及び第２補助リンク部材１１０を設置することができる。また，リンク結合ピン１０２により第１リンク支持部２１及び第２リンク支持部７１に結合された一対の第１補助リンク部材１００及び第２補助リンク部材１１０は，相互干渉されずに動くことができる。
【００６４】
前述した構成を有する本実施形態にかかるモニタ装置の各部分が回動される際の作動過程を，各部分別に以下に説明する。
【００６５】
図４，図５の（ａ）及び（ｂ）は，モニタ本体１２０がリンク部材１０に対して上向き回動する際の作動過程を示す側面図である。モニタ装置が図１のように配置された状態で，図４に示す矢印方向（Ｂ）にモニタ本体１２０を上向き（Ｂａｃｋｗａｒｄ）加圧すると，モニタ本体１２０は，一対の第２ヒンジピン８５を軸としてリンク部材１０に対して上向き（Ｂａｃｋｗａｒｄ）回動する。この時，第２リンク支持部７１と第１モニタブラケット８及び第２モニタブラケット９との間に設けられた第２捻りコイルスプリング１５０の弾性力により，ユーザーは強い力を入れなくてもモニタ本体１２０を上向き回動させることができる。
【００６６】
またこの時，リンク部材１０が回動されないので，第１リンク支持部２１及び第２リンク支持部７１と連結される第１補助リンク部材１００及び第２補助リンク部材１１０も回動されず，第２リンク支持部７１に設けられた第２突出部６２も回動されない。そして，一対の第２ヒンジピン８５を軸として上向き回動するモニタ本体１２０は，第２ストッパー６１が第２突出部６２に係止される限界点に至ると回動が阻止される（図５の（ａ）及び（ｂ）参照）。
【００６７】
モニタ本体１２０がリンク部材１０に対して下向き回動する場合の作動過程は，前述した過程と反対の過程となるので，その説明は省略する。
【００６８】
図６，図７の（ａ）及び（ｂ）は，リンク部材１０がベース部材１３０に対して下向き回動する際の作動過程を示す側面図である。モニタ装置が図１のように配置された状態で，図６に示す矢印方向（Ｃ）にリンク部材１０を下向き加圧すると，リンク部材１０は，一対の第１ヒンジピン３３を軸として下向き（Ｆｏｒｗａｒｄ）回動する。この時，第１リンク支持部２１と第１ベースブラケット４及び第２ベースブラケット６との間に設けられた第１捻りコイルスプリング１４０の弾性力により，ユーザーは強い力を入れなくてもリンク部材１０を下向き回動させることができる。
【００６９】
リンク部材１０が下向き回動（Ｆｏｒｗａｒｄ）すると，第１補助リンク部材１００及び第２補助リンク部材１１０によりリンク部材１０の上端部１０ｂに設けられた第２リンク支持部７１が所定の角度の時計方向（Ｄ）に回動する。第２リンク支持部７１の回動運動は第２ヒンジピン８５に伝達され，第２ヒンジピン８５と第１モニタブラケット８及び第２モニタブラケット９とが一体に回動することにより，モニタ本体１２０を所定角度に回動させる。この時，モニタ本体１２０の回動により，ユーザーが予め定めていたモニタのティルティング角度（図７（ａ）参照）をそのまま維持（図７（ｂ）参照）することができる。このように，第２リンク支持部７１と第２ヒンジピン８５とが一体に回動するのは，前述した通り，第２リンク支持部７１の第４ピン受容部７４と第２ヒンジピン８５とが所定の摩擦力を有して回動可能に結合されているからである。また，一対の第１ヒンジピン３３を軸として下向き回動するリンク部材１０は，第１ストッパー５１が第１突出部５２に係止される限界点に到ると，回動が阻止される（図７の（ａ）及び（ｂ）参照）。
【００７０】
リンク部材１０がベース部材１３０に対して上向き回動する場合の作動過程は，前述した過程と反対の過程となるので，その説明は省略する。
【００７１】
前述した実施形態では，第１捻りコイルスプリング１４０は第１ベースヒンジ部３０及び第２ベースヒンジ部４０のそれぞれに設けられるが，第１ベースヒンジ部または第２ベースヒンジ部のどちらか一方に一つの捻りコイルスプリングを設けることもできる。また，第２捻りコイルスプリング１５０についても，第１モニタヒンジ部８０及び第２モニタヒンジ部９０のそれぞれに設けられるが，第１モニタヒンジ部または第２モニタヒンジ部のどちらか一方に一つの捻りコイルスプリングを設けることもできる。
【００７２】
また，前述した実施形態では，リンク部材１０の回動角度を制限する回動角制限手段５０は第１ベースヒンジ部３０及び第２ベースヒンジ部４０のそれぞれに設けられるが，第１ベースヒンジ部または第２ベースヒンジ部のどちらか一方に一つの回動角制限手段を設けることもできる。また，モニタ本体１２０の回動角度を制限するモニタ角度制限手段６０についても，第１モニタヒンジ部８０及び第２モニタヒンジ部９０のそれぞれに設けられるが，第１モニタヒンジ部または第２モニタヒンジ部のどちらか一方に一つのモニタ角度制限手段を設けることもできる。
【００７３】
また，前述した実施形態では，リンク部材１０の回動運動をモニタ本体１２０の回動運動に伝達する第１補助リンク部材１００及び第２補助リンク部材１１０がリンク部材１０の両縁部にそれぞれ一対ずつ設けられているが，リンク部材の両縁部のどちらか一方に一対の補助リンク部材を設けることもできる。
【００７４】
上記のように，本発明によるモニタ装置は，モニタ本体とベース部材とが間にリンク部材を設けて結合されており，リンク部材の上端部とモニタ本体との結合部にモニタヒンジと，リンク部材の下端部とベース部との結合部にベースヒンジと，を設けることにより，モニタ本体の高さ及びティルティング角度を自在に調節することができる。
【００７５】
また，本発明によるモニタ装置は，リンク部材とベース部材との間に一対の第１捻りコイルスプリングと，モニタ本体とリンク部材との間に一対の第２捻りコイルスプリングと，を設けることにより，大型モニタ本体が装着されたモニタ装置においても，その高さとティルティング角度を僅かな力で容易に調節することができる。
【００７６】
更に，本発明によるモニタ装置は，リンク部材の両側面にそれぞれ一対ずつ設けられてモニタヒンジとベースヒンジとを連結する第１補助リンク部材及び第２補助リンク部材を設けることにより，モニタ本体の高さを調節する際に，予め定められているモニタ本体のティルティング角度を維持したまま高さを調節することができる。
【００７７】
また，本発明によるモニタ装置は，回動制限手段を設けることにより，ベース部材に対するリンク部材の回動角度，すなわちモニタ本体の高さ，が適切な範囲を超えないように制限することができる。また，モニタ角度制限手段を設けることにより，リンク部材に対するモニタ本体の回動角度，すなわちモニタ本体のティルティング角度，が適切な範囲を超えないように制限することができる。
【００７８】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【図面の簡単な説明】
【００７９】
【図１】本実施形態にかかるモニタ装置の背面斜視図である。
【図２】図３に示したモニタ装置のリンク組立体の部分分解斜視図である。
【図３】図４に示したリンク組立体の分解斜視図である。
【図４】本実施形態にかかるモニタ装置のモニタ本体が回動する際の側面図である。
【図５ａ】図４に示したモニタ装置において，モニタ本体がリンク部材に対して上向き回動する際の作動過程を示す部分拡大側面図である。
【図５ｂ】図４に示したモニタ装置において，モニタ本体がリンク部材に対して上向き回動する際の作動過程を示す部分拡大側面図である。
【図６】本実施形態にかかるモニタ装置のリンク部材が回動する際の側面図である。
【図７ａ】図６に示したモニタ装置において，リンク部材がベース部材に対して下向き回動する際の作動過程を示す部分拡大側面図である。
【図７ｂ】図６に示したモニタ装置において，リンク部材がベース部材に対して下向き回動する際の作動過程を示す部分拡大側面図である。
【図８】従来のモニタ装置の背面斜視図である。
【図９ａ】従来のモニタ装置の側面図である。
【図９ｂ】従来のモニタ装置の側面図である。
【符号の説明】
【００８０】
１  リンク組立体
４  第１ベースブラケット
６  第２ベースブラケット
８  第１モニタブラケット
９  第２モニタブラケット
１０  リンク部材
１１  リンク部材受容部
２０  ベースヒンジ
２１  第１リンク支持部
２２  第２ピン受容部
２３  第１リンク支持部
２４  ボス部
２５  第１補助リンク受容部
２６  第２補助リンク受容部
２７  ピン挿入孔
３０  第１ベースヒンジ部
３１  第１ピン受容部３１
３３  第１ヒンジピン
４０  第２ベースヒンジ部
５０  回動角制限手段
５１  第１ストッパー
５２  第１突出部
６０  モニタ角度制限手段
６１  第２ストッパー
６２  第２突出部
７０  モニタヒンジ
７１  第２リンク支持部
７２  ヒンジ挿入部
７３  第２スプリング受容部
７４  第４ピン受容部
８０  第１モニタヒンジ部
８１  ヒンジ挿入孔
８３  第３ピン受容部
８５  第２ヒンジピン
９０  第２モニタヒンジ部
１００  第１補助リンク部材
１００ａ  貫通孔
１１０  第２補助リンク部材
１１０ａ  貫通孔
１０２  リンク結合ピン
１２０  モニタ本体
１３０  ベース部材
１４０  第１捻りコイルスプリング
１５０  第２捻りコイルスプリング
【図１】
2005216323.tif 000003
【図２】
2005216323.tif 000004
【図３】
2005216323.tif 000005
【図４】
2005216323.tif 000006
【図５ａ】
2005216323.tif 000007
【図５ｂ】
2005216323.tif 000008
【図６】
2005216323.tif 000009
【図７ａ】
2005216323.tif 000010
【図７ｂ】
2005216323.tif 000011
【図８】
2005216323.tif 000012
【図９ａ】
2005216323.tif 000013
【図９ｂ】
2005216323.tif 000014